(57)【要約】【課題】定着装置において印加されるバイアス電圧を最適に設定して、静電オフセットの発生を防止して、高品質の画像を形成することができる定着装置および画像形成装置を提供すること。【解決手段】定着器１００の定着フィルム１０２と加圧ローラ１１０のそれぞれに対するバイアス電圧の印加を停止してから再度印加するときに、それまでの加圧ローラ１１０の表面電位の変化を考慮して、その加圧ローラ１１０に印加するバイアス電圧を制御する。すなわち、バイアス電圧の印加を停止する前の印加期間中における記録媒体Ｐの定着処理量と、バイアス電圧の印加を停止してから再度印加するときまでの経過時間と、の内の少なくとも一方に応じて、加圧ローラ１１０に印加するバイアス電圧を制御する。【選択図】図２
2011133671.tif 000002
【特許請求の範囲】
【請求項１】
加熱部材と加圧部材との間に、未定着のトナー像が形成された記録媒体を通過させることにより、前記トナー像を前記記録媒体に定着させる定着処理をする定着装置において、
前記加熱部材の表面が一方の極性となるように、当該加熱部材にバイアス電圧を印加する第１の印加手段と、
前記加圧部材の表面が他方の極性となるように、当該加圧部材にバイアス電圧を印加する第２の印加手段と、
前記第１および第２の印加手段がバイアス電圧を印加する印加期間中に前記記録媒体の定着処理をした後に、前記第１および第２の印加手段がバイアス電圧の印加を停止してから再度印加するときに、前記印加期間中における前記記録媒体の定着処理量と、前記第１および第２の印加手段がバイアス電圧の印加を停止してから再度印加するときまでの経過時間と、の内の少なくとも一方に応じて、前記加熱部材の表面と前記加圧部材の表面との間の電位の高低関係が前記記録媒体の定着処理中のときの高低関係と逆転しないように、前記第２の印加手段によって印加するバイアス電圧を制御する制御手段と、
を備えることを特徴とする定着装置。
【請求項２】
前記定着処理量は、前記印加期間中に定着処理した前記記録媒体の枚数であることを特徴とする請求項１に記載の定着装置。
【請求項３】
前記制御手段は、前記記録媒体の厚みと、前記定着装置の環境温度と、の内の少なくとも一方に応じても、前記第２の印加手段によって印加するバイアス電圧を制御することを特徴とする請求項１または２に記載の定着装置。
【請求項４】
前記制御手段は、前記記録媒体の定着処理中に、前記加熱部材の表面と前記加圧部材の表面との間の電位差を一定に維持するように、前記第１の印加手段と前記第２の印加手段によって印加するバイアス電圧の内の少なくもと一方を制御することを特徴とする請求項１から３のいずれかに記載の定着装置。
【請求項５】
前記加熱部材の表面と前記加圧部材の表面との内の少なくとも一方には、絶縁層が形成されていることを特徴とする請求項１から４のいずれかに記載の定着装置。
【請求項６】
像担持体から記録媒体に未定着のトナー像を転写してから、定着装置を用いて、前記未定着のトナー像を前記記録媒体に定着させる画像形成装置において、
前記定着装置として、請求項１から５のいずれかに記載の定着装置を備えることを特徴とする画像形成装置。
【請求項７】
前記定着装置における前記制御手段の全てまたは一部の機能をもつ画像形成装置側制御手段を備えることを特徴とする請求項６に記載の画像形成装置。
【発明の詳細な説明】
【技術分野】
【０００１】
本発明は、加熱部材と加圧部材との間に、未定着のトナー像が形成された記録媒体を通過させることにより、そのトナー像を記録媒体に定着させるための定着装置、および、その定着装置を備えた画像形成装置に関するものである。
【背景技術】
【０００２】
従来、電子写真方式等の複写機およびプリンタ等の画像形成装置において、記録媒体上に形成した未定着のトナー像を加熱定着させる定着装置としては、熱ローラ定着方式や省エネルギータイプのフィルム加熱方式の装置が汎用されている。熱ローラ定着方式の定着装置は、加熱部材としてのハロゲンヒータを内包する定着ローラと、これに圧接する加圧部材としての加圧ローラと、を基本的に備える。これらのローラは回転され、それらの間の圧接ニップ部である定着ニップ部を通して、未定着のトナー像が形成された記録媒体（例えば、転写材シート、静電記録材、エレクトロファックス紙、記録用紙）が搬送される。その記録媒体は、定着ローラからの熱と、定着ニップ部での加圧力により、トナー像が永久固着画像として熱圧定着される。
【０００３】
一方、フィルム加熱方式の定着装置は、加熱体と耐熱性フィルムである定着フィルムとを有する加熱部材と、その定着フィルムに密着する加圧部材としての加圧ローラと、を備えている。加熱体は、セラミックヒータなどであり、固定配備されている。定着フィルムは、移動可能に配備されている。定着フィルムを挟んで対向する加熱体と加圧ローラとの間には、圧接ニップ部としての定着ニップ部が形成され、この定着ニップ部を通して、未定着のトナー像が形成させた記録媒体が搬送され、その記録媒体の搬送に伴って定着フィルムが移動する。定着フィルムを介して付与される加熱体からの熱と、定着ニップ部の加圧力と、によって、トナー像が永久固着画像として熱圧定着される（例えば、特許文献１，２，３）。
【０００４】
フィルム加熱方式の定着装置は、加熱体としてセラミックヒータ等の低熱容量線状加熱体を用い、また定着フィルムとして薄膜の低熱容量のものを用いることができるため、省電力化およびウェイトタイムの短縮化（クイックスタート）が可能である。また、定着フィルムの駆動方式としては、定着フィルムの内側に備わる駆動ローラを用いる方式、および加圧ローラを駆動ローラとして用い、その加圧ローラとの間の摩擦力によって定着フィルムを駆動する方式が知られている。近年では、部品点数が少なく低コストに構成できることから、後者の加圧ローラによる駆動方式が多く用いられている。
【先行技術文献】
【特許文献】
【０００５】
【特許文献１】特開平１１−８４９３２号公報
【特許文献２】特開２００１−１００５７８号公報
【特許文献３】特開２００４−１５７４４１号公報
【発明の概要】
【発明が解決しようとする課題】
【０００６】
従来、記録媒体に高品質の画像を形成するために、複写機内における定着器にバイアス電圧を印加する手段として、定着ローラや定着フィルムにバイアス電圧を印加する手段と、加圧ローラにバイアス電圧を印加する手段と、の少ないくとも一方が用いられていた。前者の手段を「定着バイアス手段」、後者の手段を「加圧バイアス手段」ともいう。これらの手段によって印加されるバイアス電圧は、オフセット電圧による画像の汚れや、電圧のリークが生じないように抑える必要がある。
【０００７】
しかし、近年、画像の形成速度の高速化に伴って、静電オフセットによる画像の形成不良が生じることがあった。静電オフセットとは、記録媒体上のトナー像を形成するトナーが定着器のローラに転移し、そのローラが一回転したときに、そのローラに転移したトナーが記録媒体上に定着されることによって、画像の乱れを招く現象である。例えば、トナー像が形成された記録媒体が定着器のローラ対の間に入ったときに、ローラと記録媒体との摩擦によって、電荷をもったトナーがチャージアップされる。そのチャージアップされたトナーには、それを記録媒体に定着させる方向の保持力とは逆向きの電界が作用し、それによってトナーがローラ側に転移するおそれがある。
【０００８】
このような静電オフセットの対策としては、例えば、定着バイアス手段によって定着ローラまたは定着フィルムに逆極性の固定のバイアス電圧を印加し、さらに、加圧バイアス手段によって加圧ローラに同極性の固定のバイアス電圧を印加する方法がある。しかし、定着ニップ部を通して記録媒体を連続的に搬送した場合には、加圧ローラの表面をプラス極性（＋）とするようにバイアス電圧を印加しているにも拘わらず、その加圧ローラの表面が逆のマイナス極性（−）に帯電してしまうおそれがある。すなわち、複写機内の転写／分離部において、記録媒体の裏面側が逆極性（−）となるように印加された分離バイアス電圧の影響により、このような現象が生じるおそれがある。このような現象が生じた場合には、記録媒体が定着ニップ部を通る際に静電オフセットが生じて、画像の形成不良を招くおそれがある。
【０００９】
本発明の目的は、定着装置において印加されるバイアス電圧を最適に設定して、静電オフセットの発生を防止しすることにより、高品質の画像を形成することができる定着装置および画像形成装置を提供することにある。
【課題を解決するための手段】
【００１０】
本発明の定着装置は、加熱部材と加圧部材との間に、未定着のトナー像が形成された記録媒体を通過させることにより、前記トナー像を前記記録媒体に定着させる定着処理をする定着装置において、前記加熱部材の表面が一方の極性となるように、当該加熱部材にバイアス電圧を印加する第１の印加手段と、前記加圧部材の表面が他方の極性となるように、当該加圧部材にバイアス電圧を印加する第２の印加手段と、前記第１および第２の印加手段がバイアス電圧を印加する印加期間中に前記記録媒体の定着処理をした後に、前記第１および第２の印加手段がバイアス電圧の印加を停止してから再度印加するときに、前記印加期間中における前記記録媒体の定着処理量と、前記第１および第２の印加手段がバイアス電圧の印加を停止してから再度印加するときまでの経過時間と、の内の少なくとも一方に応じて、前記加熱部材の表面と前記加圧部材の表面との間の電位の高低関係が前記記録媒体の定着処理中のときの高低関係と逆転しないように、前記第２の印加手段によって印加するバイアス電圧を制御する制御手段と、を備えることを特徴とする。
【００１１】
本発明の画像形成装置は、像担持体から記録媒体に未定着のトナー像を転写してから、定着装置を用いて、前記未定着のトナー像を前記記録媒体に定着させる画像形成装置において、前記定着装置として、上記の定着装置を備えることを特徴とする。
【発明の効果】
【００１２】
本発明によれば、定着装置の加熱部材と加圧部材のそれぞれに対するバイアス電圧の印加を停止してから再度印加するときに、それまでの加圧部材の表面電位の変化を考慮して、その加圧部材に印加するバイアス電圧を制御する。すなわち、バイアス電圧の印加を停止する前の印加期間中における記録媒体の定着処理量と、バイアス電圧の印加を停止してから再度印加するときまでの経過時間と、の内の少なくとも一方に応じて、加圧部材に印加するバイアス電圧を制御する。したがって、記加熱部材の表面と加圧部材の表面との間の電位の高低関係が記録媒体の定着処理中のときの高低関係と逆転しないように、加圧部材に印加するバイアス電圧を制御することができる。この結果、バイアス電圧の再印加時における静電オフセットの発生を防止して、高品質の画像を形成することができる。
【００１３】
さらに、記録媒体の厚みと、定着装置の環境温度と、の内の少なくとも一方に応じても、加圧部材に印加するバイアス電圧を制御することにより、バイアス電圧の再印加時における静電オフセットをより確実に防止することができる。
【図面の簡単な説明】
【００１４】
【図１】本発明に係る画像形成装置の構成例を説明するための要部の概略図である。
【図２】図１の画像形成装置に備わる定着器の要部の概略構成図である。
【図３】本発明の比較例としての定着器における表面電位の変化の説明図である。
【図４】本発明の比較例としての定着器において、表面電位差を一定に維持した場合の説明図である。
【図５】本発明の比較例としての定着器において、バイアス電圧を再印加したときの表面電位の変化の説明図である。
【図６】本発明の実施形態におけるバイアス電圧の制御例の説明図である。
【図７】本発明の実施形態と比較例とによって記録した画像の比較結果の説明図である。
【図８】本発明の実施形態において、普通紙モードが設定されたときのバイアス電圧の制御処理を説明するためのフローチャートである。
【図９】本発明の実施形態において、厚紙、低温環境モードが設定されたときのバイアス電圧の制御処理を説明するためのフローチャートである。
【図１０】図２の定着器における制御系のブロック構成図である。
【発明を実施するための形態】
【００１５】
以下、図面に沿って、本発明の実施形態について説明する。
【００１６】
図１は、画像形成装置の構成例の要部を説明するための図である。
【００１７】
帯電器１は、像担持体（例えば、感光ドラム）１の表面を所定の極性、所定の電位に均一に帯電し、露光器３は、画像情報に応じたレーザー光を照射し、帯電後の像担持体１の表面を露光して静電潜像を形成する。現像器４は、像担持体１上の静電潜像にトナーを付着させてトナー像とし、そのトナー像は、転写器５によって記録材（記録媒体）Ｐ上に転写される。その転写時に記録材Ｐに転写されずに像担持体２上に残ったトナーは、クリーニングブレード６により廃トナー収容スペース７内に掻き落とされて回収される。記録材Ｐ上に形成された未定着のトナー像は、定着器１００からの加熱および加圧によって定着処理され、永久画像として定着される。
【００１８】
帯電器１、露光器３、現像器４、転写器５、およびクリーニングブレード６などの構成は任意であり、例えば、中間転写ドラムや中間転写ベルト等の中間転写体を使用して、記録材Ｐ上に４色のトナー像を重ねて４色フルカラーの画像を形成する構成であってもよい。また、本発明は、記録材Ｐ上の末定着のトナー像を加熱および加圧によって定着する種々の構成の画像形成装置に対して、広く適用することができる。例えば、本例のような電子写真方式の画像形成装置に限らず、静電記録方式の画像形成装置に対しても適用することできる。
【００１９】
本例の画像形成装置は、図２のようなオンデマンド方式の定着器１００を備えている。この定着器１００は、画像形成装置に組み合わせることができる１つの装置（定着装置）として構成することができる。
【００２０】
本例の定着器１００は、フィルムユニット１０１と、加圧部材としての加圧ローラ１１０と、を有している。フィルムユニット１０１は、定着部材としての筒状の定着フィルム１０２と、その定着フィルム１０２を矢印Ｒ１方向に回転自在にガイドするガイド部材１０７と、定着フィルム１０２の内側に配設された定着ヒータ１０３と、を有している。定着フィルム１０２は３層構造とされており、全体として薄い無端状（エンドレス）の耐熱性のフィルムによって構成されている。定着フィルム１０２の最内層はベース層と称されており、定着フィルム１０２の回転時にそのねじれを防止して、その強度や平滑性を保つための層であって、主に耐熱性の高いポリイミドフィルムによって形成されている。また、最外層は、抵抗率が１×１０9〜１×１０14Ω・ｃｍ程度の絶縁層であり、主に、ＰＴＥＥやＰＦＡなどのフッ素樹脂によって形成されている。また、中間層は、それらのべ一ス層と絶縁層とを接着するための接着層（プライマー層）であり、カーボンブラックなどの導電性粒子が分散された導電層となっている。この導電層には、印加部１０５において、高圧のバイアス電源１０４（第１の印加手段）からバイアス電圧が印加される。
【００２１】
加圧部材としての加圧ローラ１１０は、導電性の芯金１０８と、弾性の導電層１０９と、その導電層１０９の表面に形成された不図示の絶縁層と、を含むローラ状の部材である。発熱体としての定着ヒータ１０３に対して定着フィルム１０２を下方から押し付けるように、この加圧ローラ１１０が定着フィルム１０２を加圧する。これにより、加圧ローラ１１０と定着フィルム１０２との間に定着ニップ部Ｎが形成される。本例の定着器１００には、定着フィルム１０２を直接に回転させるための駆動機構が備えられておらず、定着フィルム１０２は、加圧ローラ１１０の矢印Ｒ２方向の回転に追従して矢印Ｒ１方向に回動する。つまり、定着フィルム１０２は、加圧ローラ１１０の表面との間の摩擦によって、または、加圧ローラ１１０の回転により矢印Ｋ方向に搬送される記録材Ｐとの間の勝るによって、矢印Ｒ１方向に従動回転される。
【００２２】
表面（図２中の上面）に未定着のトナー像が形成された記録材Ｐは、定着ニップ部Ｎによって挟持搬送されるときに、加熱および加圧されて、その表面にトナー像が熱定着される。
【００２３】
記録材Ｐの搬送方向（矢印Ｋ方向）における定着ニップ部Ｎの上流側には、電極とガイド部材とを兼ねる定着入ロガイド１１３（導電部材）が配設されている。この定着入ロガイド１１３は、定着ニップ部Ｎに搬入される記録材Ｐを下方からガイドして、その姿勢を安定させると共に、後述するように、記録材Ｐによる未定着トナー像の保持力を高めるためのものである。本例の場合、定着入ロガイド１１３の先端部は、定着ニップ部Ｎの位置を記録材Ｐ搬送経路に沿って延長させて延長線Ｓと交差するように配置されている。すなわち、定着入ロガイド１１３の先端部は、記録材Ｐの搬送方向（矢印Ｋ方向）に対して、その下流側に向かって下方がら斜め上方に延在して、記録材Ｐの搬送経路の延長線Ｓから情報に突出した突出部を形成する。定着入ロガイド１１３は、カーボンブラックなどの導電材を混入することにより電気伝導性が上げられており、記録材Ｐとの摺擦により、その記録材Ｐと電気的な導通がとれるようになっている。
【００２４】
このように、本例の構成においては、定着器１００内における定着ヒータ１０３を発熱させて、定着フィルム１０２と加圧ローラ部材１１０との間の定着ニップ部Ｎに、入りロガイド部材１１３と摺接しつつ搬送されてくる記録材Ｐを通す。これによって、未定着のトナー像を記録材Ｐ上に定着させる。
【００２５】
（バイアス電圧の印加方法の比較例）
次に、本発明の比較例として、上記のような構成において静電オフセットの発生を防止するために、定着ニップ部Ｎに電位差を与えた場合について説明する。この比較例においては、バイアス電源１１１（第２の印加手段）によって、加圧ローラ１１０の表面がプラス極性（他方の極性）となるようにバイアス電圧を印加する。かつバイアス電源１０４（第１の印加手段）によって、定着フィルム１０２がマイナス極性（他方の極性）となるようにバイアス電圧を印加する。
【００２６】
定着ニップ部Ｎを通して記録材Ｐを連続的に搬送した際には、その記録材Ｐと加圧ローラ１１０との間の静電的作用により、図３中のＡのように、加圧ローラ１１０の表面電位がプラス極性（＋）からマイナス極性（−）に変化してしまう。一方、定着フィルム１０２の表面電位は、図３中のＢのようにマイナス極性（−）となっている。このように、加圧ローラ１１０が逆極性（−）に帯電することによって、静電オフセットが発生する。
【００２７】
仮に、加圧ローラ１１０が逆極性に帯電した際に、図４のように、定着フィルム１０２に印加するバイアス電圧を変化させて、加圧ローラ１１０の表面と定着フィルム１０２の表面との間の電位差を一定に維持した場合には、次のような不具合が生じる。
【００２８】
すなわち、バイアス電源１１１，１０４によるバイアス電圧の印加期間中に連続的に画像を形成した後、それらのバイアス電圧の印加を停止（バイアスＯＦＦ）すると、図５のように、加圧ローラ１１０の表面電位が瞬時にさらに逆極性（−）に帯電してしまう。このような加圧ローラ１１０の帯電は、両方のバイアス電源１１１，１０４によるバイアス電圧の印加時（バイアスＯＮ）に、加圧ローラ１１０と定着フィルム１０２との間の電位差を一定の１ｋｖにしたとしても生じる。このように、加圧ローラ１１０がさらに逆極性（−）に帯電した場合には、図５のように、バイアス電圧を再度印加して次の画像形成動作を開始したときに、定着フィルム１０２の表面と加圧ローラ１１０の表面との間における電位の高低関係が逆転してしまう。つまり、そのときの電位の高低関係は、定着器１００が定着処理中のときの高低関係と逆転する。そのため、記録材Ｐが定着ニップ部Ｎを通過した直後から静電オフセットが発生してしまう。
【００２９】
（本例のバイアス電圧の印加方法）
本実施形態は、上述した比較例において、画像形成動作の開始前に、加圧ローラ１１０の表面電位を予測し、その予測した表面電位に応じて、加圧ローラ１１０に印加するバイアス電圧を変化させるようにバイアス電源１１１（第２の印加手段）を制御する。すなわち、画像形成動作を開始する図６中の時点Ｔ０において、その前のバイアスＯＦＦ時における加圧ローラ１１０表面電位を予測する。そして、画像形成動作の開始直後から加圧ローラ１１０がプラス極性となるように、予測した加圧ローラ１１０表面電位に応じてバイアス電圧を変更する。
【００３０】
本例においては、加圧ローラ１１０の表面電位を予測するために、直前の画像形成動作における記録材Ｐの画像形成枚数（記録枚数）Ｎのカウント値と、直前の画像形成動作の終了時からの経過時間Ｎのカウント値と、を用いる。記録枚数Ｎは、定着器１００における記録媒体Ｐの定着処理の枚数（定着処理量）に対応する。記録枚数Ｎに関しては、Ｎ１：１０枚未満と、Ｎ２：１０枚以上と、の２段階に分け、経過時間Ｔに関しては、Ｔ１：５分未満と、Ｔ２：５分以上と、の２段階に分ける。そして、これらのＮ１，Ｎ２とＴ１，Ｔ２との組み合わせから、加圧ローラ１１０の表面電位を予測してバイアス電圧を設定する。
【００３１】
本例の場合は、画像形成装置における画像形成モードに応じて、加圧ローラ１１０のバイアス電圧Ｖｂが異なる値に設定される。画像形成モードとしては、記録材Ｐが普通紙であるときのモード（普通紙モード）と、記録材Ｐが厚紙（９１ｇ／ｍ2以上）であるときのモード（厚紙モード）と、環境温度が２３℃以下の低温であるときのモード（低温環境モード）と、がある。
【００３２】
（普通紙モードにおけるバイアス電圧）
普通紙モードにおいては、以下のようにバイアス電圧を設定する。
（１−１）Ｎ１，Ｔ２：バイアス電圧５００Ｖ
（１−２）Ｎ１，Ｔ１またはＮ２，Ｔ２：バイアス電圧７００Ｖ
（１−３）Ｎ２，Ｔ１：バイアス電圧８００Ｖ
【００３３】
画像形成装置の電源を投入（ＯＮ）してから最初に画像形成動作を開始するときには、上記（１−１）のようにバイアス電圧Ｖｂを５００Ｖに設定する。図８は、このような普通紙モードにおけるバイアス電圧Ｖｂの設定手順を示すフローチャートであり、記録枚数Ｎと経過時間Ｔに応じてバイアス電圧Ｖｂが設定される。すなわち、画像形成装置の電源を投入（ＯＮ）してから最初に画像形成動作を開始するときには、バイアス電圧Ｖｂを５００Ｖに設定する（ステップＳ１，Ｓ２）。それ以外のときは、上記のように、記録枚数Ｎと経過時間Ｔに応じてバイアス電圧Ｖｂを設定する（ステップＳ３からＳ９）。
【００３４】
このように、加圧ローラ１１０に印加するバイアス電圧Ｖｂを設定することにより、図６のように、画像形成動作の開始直後から加圧ローラ１１０の表面電位がマイナス極性からプラス極性となる。これにより、図６のように、バイアス電圧を再度印加して次の画像形成動作を開始したときに、定着フィルム１０２の表面と加圧ローラ１１０の表面との間における電位の高低関係は逆転しない。つまり、そのときの電位の高低関係は、定着器１００が定着処理中のときの高低関係と同じとなる。この結果、図７に示すように、画像形成動作の開始直後における静電オフセットの発生を防止して良質な画像を形成することができた。
【００３５】
（厚紙、低温環境モードにおけるバイアス電圧）
厚紙（９１ｇ／ｍ2以上）である記録材Ｐに画像を形成する厚紙モード、および、環境温度が２３℃以下の低温であるときの低温環境モードでは、下記のように、普通紙モードの場合よりも加圧ローラ１１０のバイアス電圧Ｖｂを高める。
（２−１）Ｎ１，Ｔ２：バイアス電圧６００Ｖ
（２−２）Ｎ１，Ｔ１またはＮ２，Ｔ２：バイアス電圧８００Ｖ
（２−３）Ｎ２，Ｔ１：バイアス電圧１０００Ｖ
【００３６】
画像形成装置の電源を投入（ＯＮ）してから最初に画像形成動作を開始するとには、上記（２−１）のようにバイアス電圧Ｖｂを６００Ｖに設定する。図９は、このような厚紙モードおよび低温環境モードにおけるバイアス電圧Ｖｂの設定手順を示すフローチャートであり、記録枚数Ｎと経過時間Ｔに応じてバイアス電圧Ｖｂが設定される。すなわち、画像形成装置の電源を投入（ＯＮ）してから最初に画像形成動作を開始するときには、バイアス電圧Ｖｂを６００Ｖに設定する（ステップＳ１１，Ｓ１２）。それ以外のときは、上記のように、記録枚数Ｎと経過時間Ｔに応じてバイアス電圧Ｖｂを設定する（ステップＳ１３からＳ１９）。
【００３７】
このようにバイアス電圧Ｖｂを設定することにより、普通紙モードの場合と同様に、バイアス電圧を再度印加して次の画像形成動作を開始したときに、定着フィルム１０２の表面と加圧ローラ１１０の表面との間における電位の高低関係を逆転させることがない。この結果、図７に示すように、画像形成動作の開始直後における静電オフセットの発生を防止して良質な画像を形成することができた。
【００３８】
上記（２−１）および（２−２）のバイアス電圧Ｖｂの設定は、画像の形成モード（記録モード）が厚紙モードと低温環境モードのいずれの一方であることを条件としてもよい。また、上記（２−３）のバイアス電圧Ｖｂの設定は、厚紙モードと低温環境モードの両方が画像の形成モードとして設定されていることを条件としてもよい。
【００３９】
図１０は、定着器１００に関する制御系のブロック構成図である。
【００４０】
ＣＰＵ（制御部）２１には、検知素子２２，２３，２４と、カウンター２５と、タイマー２６から信号が入力される。検知素子２２は、定着器１００の温度を検知するためのサーミスター等であり、検知素子２３は、加圧ローラ１１０の回転速度を検知するための素子であり、検知素子２４は、環境温度を検知するための素子である。カウンター２５は、記録材Ｐの記録枚数をカウントするためのものであり、タイマー２６は、画像形成動作の終了時からの経過時間をカウントするためのものである。また、ＣＰＵ２１には、ＲＯＭ２７に記憶されているプログラムがデータに基づいて、定着ヒータ１０３、加圧ローラ１１０を駆動するモータ２８、バイアス電源１１１，１０４を制御する。ＲＡＭ２９は、作業エリアなどとして用いられる。
【００４１】
（他の実施形態）
定着器１００は、種々に画像形成装置に対して組み込み可能な定着装置として構成することができる。その場合、画像形成装置は、定着器１００のＣＰＵ２１の全てまたは一部の機能をもつ制御部（画像形成装置側制御手段）を備えてもよい。また、定着器１００におけるフィルムユニット１０１および加圧ローラ１１０は、加熱部材および加圧部材を構成するものであればよい。その加熱部材としては、加熱機構を備えたベルトやヒートローラなどを用いることができ、また、加圧部材としては、ベルトなどを用いることができる。
【００４２】
また、加圧部材に印加するバイアス電圧は、前述したように記録枚数Ｎと経過時間Ｔの両方に応じて制御する他、それらの内の少なくとも一方に応じて制御してもよい。また、定着器による記録媒体の定着処理量は、定着処理した記録媒体の枚数のみに限定されず、例えば、長尺な記録媒体の場合には、定着処理した記録媒体の長さであってもよい。
【符号の説明】
【００４３】
１００  定着器（定着装置）
１０１  フィルムユニット
１０２  定着フィルム（定着部材）
１０４  バイアス電源（第１の印加手段）
１１０  加圧ローラ（加圧部材）
１１１  バイアス電源（第２の印加手段）
Ｎ  定着ニップ部
Ｐ  記録材（記録媒体）
【図１】
2011133671.tif 000003
【図２】
2011133671.tif 000004
【図３】
2011133671.tif 000005
【図４】
2011133671.tif 000006
【図５】
2011133671.tif 000007
【図６】
2011133671.tif 000008
【図７】
2011133671.tif 000009
【図８】
2011133671.tif 000010
【図９】
2011133671.tif 000011
【図１０】
2011133671.tif 000012